(57)【要約】【課題】美観を損ねず、また、扉の下部のみならず、上部からも空気を流入させることができるヒンジ式扉を提供することである。【解決手段】換気扇９を有する室１０を開閉するヒンジ式扉１の扉本体２が、室１０の開口１１を閉じた際に、扉本体２の側面３ａ，３ｂの間に空気流通間隙１４が形成される。側面３ａ３ｂには、複数の貫通孔７が設けてあり、扉本体２内には中空部６が設けてある。各貫通孔７は、中空部６と連通している。そして、扉本体２における、室１０側の面１７には、空気流通口１３が設けてある。空気流通口１３は、中空部６と連通しており、室１０の外部の領域Ａと、室１０内の領域Ｂとを、扉本体２を介して連通させる。【選択図】図１
2013160015.tif 000002
【特許請求の範囲】
【請求項１】
換気扇を有する室に設けられ、扉本体と、戸当たりを備えた開口とから成る外開きのヒンジ式扉において、前記扉本体は、内部に中空部を有しており、扉本体の側面には、複数の貫通孔が上下方向に配列されており、扉本体の室内側の面には、空気流通口が設けてあり、前記空気流通口と複数の貫通孔は、前記中空部と連通しており、扉本体が、戸当たりに当接した際に、扉本体の側面と前記開口の間に、空気流通間隙が形成されることを特徴とするヒンジ式扉。
【請求項２】
前記扉本体は、四角形の枠体の表面側と裏面側に、各々表面板と裏面板とが固着されて構成されており、前記枠体の内側に、水平方向にのびる中桟が設けられており、前記中桟は、中桟の上側と下側とで空気を流通させる空気流路を有することを特徴とする請求項１に記載のヒンジ式扉。
【発明の詳細な説明】
【技術分野】
【０００１】
本発明は、ヒンジ式扉に関するものである。
【背景技術】
【０００２】
換気扇を有するトイレ等の室の扉には、空気通路が設けられている。そして、換気扇を作動させた際に、空気通路を介して空気が室内に流入し、室内の換気が良好に行われる。このような扉が、例えば特許文献１に開示されている。
【０００３】
特許文献１に開示されているドアの通気構造では、ドアの一方の面の下部に設けられた下側通気口からドア内に空気が流入する。そして、ドア内の空気は、ドアの他方の面の上部に設けられた上側通気口から流出する。すなわち、室外の空気が、ドアの内部を通過して、室内に流入する。
【先行技術文献】
【特許文献】
【０００４】
【特許文献１】特開２００１−２２７２５７号公報
【発明の概要】
【発明が解決しようとする課題】
【０００５】
ところで、特許文献１に開示されているドアの通気構造では、ドアの下部に設けられた下側通気口からドア内に空気を流入させ、その空気を上側通気口から室内へ流入させる。そのため、冬期においては、下側の温度が比較的低い空気が、室内に流入してしまう。トイレのような室に、温度の低い空気が流入すると、室の利用者は寒い思いをし、甚だ不都合である。また、ドアの外側の面に下側通気口が設けられると、ドア及びドアが設けられた壁面の美観が損なわれてしまう。
【０００６】
そこで、本発明は、美観を損ねず、また、扉の下部のみならず、上部からも空気を流入させることができるヒンジ式扉を提供することを目的とする。
【課題を解決するための手段】
【０００７】
上記課題を解決するための請求項１に記載の発明は、換気扇を有する室に設けられ、扉本体と、戸当たりを備えた開口とから成る外開きのヒンジ式扉において、前記扉本体は、内部に中空部を有しており、扉本体の側面には、複数の貫通孔が上下方向に配列されており、扉本体の室内側の面には、空気流通口が設けてあり、前記空気流通口と複数の貫通孔は、前記中空部と連通しており、扉本体が、戸当たりに当接した際に、扉本体の側面と前記開口の間に、空気流通間隙が形成されることを特徴とするヒンジ式扉である。
【０００８】
請求項１に記載の発明では、扉本体の内部の中空部と、扉本体の側面の複数の貫通孔とが連通しており、さらに中空部と扉本体の室内側の面の空気流通口とが連通している。また、扉本体が戸当たりに当接した際に、扉本体の側面と開口の間に、空気流通間隙が形成されるので、貫通孔は、室外と連通している。よって、換気扇を作動させると、室外の空気が、円滑に室内に流入する。その際、室外の空気は、扉本体の側面の上下方向に配列された各貫通孔から中空部を介して室内に流入する。そのため、冬期において、室外の比較的温度の低い空気のみならず、比較的温度が高い空気も室内に流入する。
【０００９】
また、扉本体の室外側の面に、空気通路を形成する必要がないので、扉本体及び扉本体と隣接する壁面の美観を損ねずに済む。
【００１０】
請求項２に記載の発明は、前記扉本体は、四角形の枠体の表面側と裏面側に、各々表面板と裏面板とが固着されて構成されており、前記枠体の内側に、水平方向にのびる中桟が設けられており、前記中桟は、中桟の上側と下側とで空気を流通させる空気流路を有することを特徴とする請求項１に記載のヒンジ式扉である。
【００１１】
請求項２に記載の発明のヒンジ式扉では、四角形の枠体の内側に、水平方向にのびる中桟が設けられているので、扉本体の強度が向上する。
【００１２】
また、中桟は空気流路を有し、中桟の上側と下側とは連通している。よって、扉本体における中桟よりも下方の側面に設けられた貫通孔を介して、中空部に流入した空気は、中桟の空気流路を介して、中空部の上方へ移動することができ、さらに、空気流通口から室内に流入することができる。
【発明の効果】
【００１３】
本発明のヒンジ式扉によれば、扉本体の外観を損ねることがなく、また、室外の下部から上方の空気を室内に流入させることができる。そのため、下方の比較的温度が低い空気のみならず、上方の比較的温度が高い空気も室内に流入させることができる。
【図面の簡単な説明】
【００１４】
【図１】ヒンジ式扉を備えたトイレの平面図である。
【図２】ヒンジ式扉の扉本体の一部を破断して示す斜視図である。
【発明を実施するための形態】
【００１５】
以下では、本発明のヒンジ式扉の実施形態について、図面を参照しながら詳細に説明する。なお、以下の説明は、実施形態の理解を容易にするためのものであり、これによって、本発明が制限して理解されるべきではない。
【００１６】
図１に示すように、この実施形態では、トイレ１０（室）に、ヒンジ式扉１が設けられている。
【００１７】
ヒンジ式扉１は、トイレ１０の出入口である開口１１に設けた戸当たり８と、扉本体２とを有する。
【００１８】
開口１１の側壁部分は、段１１ａを有している。この段１１ａに戸当たり８が設けられている。図示していないが、開口１１の上壁部分にも段１１ａと同様の段が設けられている。そして、開口１１の４辺のうちの３辺に、戸当たり８が設けられている。
【００１９】
戸当たり８は、開口１１の上辺（図示せず）と、両側辺の３辺に沿って、コの字形に設けられている。また、扉本体２の下部には、気密材２４が設けられている。そして、扉本体２が開口１１を閉じると、扉本体２の両辺と上辺が戸当たり８と当接し、下辺が気密材２４で開口１１を閉鎖する。すなわち、トイレ１０の外側の領域Ａと、内側の領域Ｂの間の気密性が保たれる。
【００２０】
以下、扉本体２の構成を説明する。図２に示すように、扉本体２は、枠体１５、表面板１６、裏面板１７で構成されている。
【００２１】
枠体１５は、縦桟３ａ，３ｂと、横桟４ａ，４ｂで構成されている。すなわち、縦桟３ａ，３ｂが、枠体１５の両側に配置されており、横桟４ａは、枠体１５の上部に、水平に配置されており、横桟４ｂは、枠体１５の下部に、水平に配置されている。
【００２２】
縦桟３ａは、断面が四角形状の鉛直方向にのびる柱状の部材である。縦桟３ａには、複数の貫通孔７が設けられている。各貫通孔７は、縦桟３ａの長手方向に沿って、同方向を向くように（枠体１５の外側から内側へ向くように）設けられている。縦桟３ｂは、縦桟３ａと同じ構造を有するので、重複する説明は省略する。
【００２３】
横桟４ａには、複数の貫通孔２３が設けられている。各貫通孔２３は、横桟４ａの上面から下面に貫通しており、横桟４ａの長手方向に沿って並んで配置されている。横桟４ａの一方の端部は、縦桟３ａの上部に固着されており、他方の端部は、縦桟３ｂの上部に固着されている。
【００２４】
横桟４ｂは、横桟４ａと同じ長さを有している。横桟４ｂの一方の端部は、縦桟３ａの下部に固着されており、他方の端部は縦桟３ｂの下部に固着されている。横桟４ｂには、貫通孔は設けられていない。
【００２５】
枠体１５は、以上の縦桟３ａ，３ｂと、横桟４ａ，４ｂとが組み合わされて構成されている。また、枠体１５の内側には、補強桟５ａ，５ｂが設けられている。補強桟５ａは水平姿勢であり、補強桟５ａの両端は、各々縦桟３ａ，３ｂに固着されている。また、補強桟５ａには、複数の孔１９（空気流路）が設けられている。各孔１９は、補強桟５ａの上面から下面に伸びている。また、各孔１９は、補強桟５ａの長手方向に並んで配置されている。
【００２６】
補強桟５ｂは、補強桟５ａと同様に縦桟３ａ，３ｂに固着されている。補強桟５ｂには、複数の溝１８（空気流路）が設けられている。各溝１８は、補強桟５ｂの長手方向にのびる側面に設けられている。各溝１８は、補強桟５ｂの上面から下面に向かってのびている。
【００２７】
補強桟５ａ，５ｂは、枠体１５内で所定の間隔を置いて配置されている。すなわち、補強桟５ａは、枠体１５内の上から約三分の一程度の位置に配置されており、補強桟５ｂは、枠体１５内の上から三分の二程度の位置に配置されている。よって、枠体１５は、補強桟５ａ，５ｂによって、均等に補強されている。そして、枠体１５の強度は、補強桟５ａ，５ｂによって増している。
【００２８】
枠体１５の表面側の面には、表面板１６が固着されている。表面板１６は、トイレ１０と連続する外壁面２６，２７と並んで、違和感のない意匠（図柄）が施された板状部材である。表面板１６には、通気孔等は一切設けられていない。
【００２９】
枠体１５の裏面側の面には、裏面板１７が固着されている。裏面板１７は、扉本体２を閉じた際に、トイレ１０の内側に配置される。裏面板１７の上部には、空気流通口１３が設けられている。空気流通口１３は、裏面板１７に設けられた開口に、複数枚の板部材２８が平行に固定されて構成されている。すなわち、空気流通口１３では、各板部材２８によって、複数のスリット状の流路が形成されており、各板部材２８の間を空気が通過することができる。
【００３０】
以上説明した枠体１５、表面板１６、裏面板１７によって、扉本体２内には中空部６が形成されている。縦桟３ａ，３ｂの各貫通孔７と、横桟４ａの貫通孔２３は、中空部６と連通している。また、裏面板１７の空気流通口１３も、中空部６と連通している。よって、貫通孔７，２３と、空気流通口１３は、中空部６を介して連通している。
【００３１】
中空部６は、補強桟５ａ，５ｂによって上下に３つの領域に分かれている。これら３つ
の領域は、補強桟５ａの孔１９（空気流路）と補強桟５ｂの溝１８（空気流路）を介して連通している。
【００３２】
扉本体２の縦桟３ｂ側の側面と、開口１１とが、ヒンジ２５（蝶番）で接続されている。よって、扉本体２は、ヒンジ２５を中心に回動可能である。なお、扉本体２は、ノブと錠を備えているが、本発明の特徴的な構成とは無関係であるので、説明を省略する。
【００３３】
トイレ１０の開口１１を、扉本体２が閉じると、扉本体２の裏面板１７が戸当たり８に当接し、さらに扉本体２の下部の気密材２４が開口１１の底面との間の気密を保持する。
【００３４】
ところが、扉本体２の側面を構成する縦桟３ａ，３ｂと、開口１１の間には空気流通間隙１４が形成されている。また、図示していないが、扉本体２の上面を構成する横桟４ａと、開口１１の天井面の間にも空気流通間隙が形成されている。そのため、縦桟３ａ,３ｂの貫通孔７と、横桟４ａの貫通孔２３は、トイレ１０の外側の領域Ａと連通している。すなわち、領域Ａと領域Ｂは、扉本体２の貫通孔７，２３と、中空部６と、空気流通口１３を介して連通している。
【００３５】
トイレ１０には、換気扇９が設けられており、換気扇９を作動させると、領域Ｂの空気が換気扇９を介して排出され、領域Ｂは負圧になる。ところが、領域Ｂと領域Ａは連通しているので、領域Ａの空気が、空気流２０として、貫通孔７，２３を介して中空部６内に入る。中空部６内では、空気流２１が生じ、空気流２１は、空気流通口１３に向かって流れる。そして、空気流２１は、空気流通口１３から領域Ｂに流入し、空気流２２となる。
【００３６】
換気扇９の作動中は、領域Ａの空気が、領域Ｂ内に連続的に流入する。その結果、領域Ａ（トイレ１０内）の換気が良好に行われる。
【００３７】
領域Ｂの空気は、扉本体２の下部から上部に至る広い範囲に渡って、貫通孔７，２３を介して中空部６内に流入する。よって、領域Ｂの空気が中空部６に流入する際の抵抗は少ない。そのため、トイレ１０の換気は円滑に行われる。
【００３８】
ところで、空気流２０は、扉本体２の下部から上部に至る広い範囲から、扉本体２内の中空部６に流入する。よって、冬期においては、領域Ａの下部の比較的温度が低い空気のみならず、上部の比較的温度が高い空気も中空部６に流入する。よって、換気扇９を作動させた際に、領域Ｂに流入する空気流２２の温度は、領域Ａ内の空気の温度とほとんど差がなく、トイレ使用者が不快感を覚えることがない。
【００３９】
縦桟３ａ，３ｂに設ける貫通孔７の形状は、丸孔に限るものではなく、貫通していればどのような形状であっても差し支えない。また、貫通孔７の代わりにスリットであってもよい。横桟４ａの貫通孔２３の形状や、補強桟５ａの孔の形状も同様である。また、補強桟５ｂに設けた溝１８は、図２に示す形態に限らず、補強桟５ｂと表面板１６，裏面板１７とが、部分的に当接して固着され、その他の部位が離間して空気流通間隙が形成されるようにしてもよい。
【符号の説明】
【００４０】
１    ヒンジ式扉
２    扉本体
３ａ，３ｂ  縦桟
４ａ，４ｂ  横桟
５ａ，５ｂ  補強桟（中桟）
６    中空部
７    貫通孔
１０    トイレ（室）
１１    開口
１３    空気流通口
１４    空気流通間隙
１５    四角形の枠体
１６    表面板
１７    裏面板（扉本体の室内側の面）
１８    溝（空気流路）
１９    孔（空気流路）
２０    空気流
Ａ    トイレの外側の領域
Ｂ    トイレの内側の領域
【図１】
2013160015.tif 000003
【図２】
2013160015.tif 000004